(57)【要約】【課題】フォーカルプレンシャッタにおいて、走行待機時の消費電力を低減させつつ、強力な駆動力が得られる構成とする。【解決手段】フォーカルプレンシャッタにおいて、開口部を有する地板と、前記開口部を開閉するよう動作する羽根と、前記羽根に連結されたアームと、前記アームに連結され、前記アームを介して前記羽根に駆動力を与える可動部材と、前記可動部材に連結され、回転軸を中心に回動する、磁力を有する回転子と、前記回転子の周面に対向するよう配置された、磁性体で形成されたヨークと、前記ヨークに巻回された第１コイル及び第２コイルと、を備え、前記第１コイル及び前記第２コイルは、それぞれ独立して通電可能な構成とする。【選択図】図１
2019045539.tif 000002
【特許請求の範囲】
【請求項１】
開口部を有する地板と、
前記開口部を開閉するよう動作する羽根と、
前記羽根に連結されたアームと、
前記アームに連結され、前記アームを介して前記羽根に駆動力を与える可動部材と、
前記可動部材に連結され、回転軸を中心に回動する、磁力を有する回転子と、
前記回転子の周面に対向するよう配置された、磁性体で形成されたヨークと、
前記ヨークに巻回された第１コイル及び第２コイルと、を備え、
前記第１コイル及び前記第２コイルは、それぞれ独立して通電可能である、
フォーカルプレンシャッタ。
【請求項２】
前記第１コイルへの通電により前記ヨークに発生する磁力と、前記第２コイルへの通電により前記ヨークに発生する磁力とが異なる、
請求項１に記載のフォーカルプレンシャッタ。
【請求項３】
前記第１コイルと前記第２コイルとでは、巻線のターン数が異なる、
請求項２に記載のフォーカルプレンシャッタ。
【請求項４】
前記回転子は、第１回転子及び第２回転子を含み、
前記ヨークは、前記第１回転子の周面と前記第２回転子の周面とに対向するよう配置された第１ヨーク及び第２ヨークを含み、
前記第１コイル及び前記第２コイルは前記第１ヨークに巻回され、
前記第２ヨークに巻回された第３コイル及び第４コイルをさらに備え、
前記第３コイル及び前記第４コイルは、それぞれ独立して通電可能である、
請求項１に記載のフォーカルプレンシャッタ。
【請求項５】
前記第１コイルへの通電により前記第１ヨークに発生する磁力と、前記第２コイルへの通電により前記第１ヨークに発生する磁力とが異なり、
前記第３コイルへの通電により前記第２ヨークに発生する磁力と、前記第４コイルへの通電により前記第２ヨークに発生する磁力とが異なる、
請求項４に記載のフォーカルプレンシャッタ。
【請求項６】
前記第１コイルと前記第２コイルとでは、巻線のターン数が異なり、
前記第３コイルと前記第４コイルとでは、巻線のターン数が異なる、
請求項５に記載のフォーカルプレンシャッタ。
【請求項７】
前記第１コイルへの通電により前記第１ヨークに発生する磁力と、前記第３コイルへの通電により前記第２ヨークに発生する磁力とが略同じである、
請求項４または請求項５に記載のフォーカルプレンシャッタ。
【請求項８】
請求項１から請求項６のいずれか１項に記載のフォーカルプレンシャッタを備える撮像装置。
【発明の詳細な説明】
【技術分野】
【０００１】
本発明の一態様は、カメラなどの撮像装置に採用されるフォーカルプレンシャッタなどに関する。
【背景技術】
【０００２】
従来から、カメラ等に用いられるフォーカルプレンシャッタにおいて、コイルを含む電磁石を駆動源として羽根を駆動する構成が採用されている。このようなフォーカルプレンシャッタでは、コイルへの通電により発生した磁力によりロータを回転させることで羽根を駆動する構成とすることがある。例えば、特許文献１及び特許文献２に、このようなフォーカルプレンシャッタが開示されている。
【先行技術文献】
【特許文献】
【０００３】
【特許文献１】特開２０１６−１９４６０５号公報
【特許文献２】特開２０１２−２１５６５８号公報
【発明の概要】
【発明が解決しようとする課題】
【０００４】
ところで、大型のセンサ（撮像素子）を搭載したカメラや、シャッタスピードを高速にしたカメラに用いられる高駆動力のフォーカルプレンシャッタでは、羽根を駆動するためのアクチュエータを比較的大型にすることがある。このような比較的大型のアクチュエータでは、マグネット（永久磁石）及びコイルも比較的大きくなり、マグネット自身のイナーシャが上がるため、動作させるために与える駆動力を強くする必要があり、駆動力の伝達効率が悪化することがあった。また、大きなコイルでは巻線効率が低下し、コイルの断面積が大きくなるため、インダクタンスが上がって起動時の応答が悪くなることがあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
開口部を有する地板（１、２）と、
前記開口部を開閉するよう動作する羽根（３）と、
前記羽根に連結されたアーム（４ａ、４ｂ）と、
前記アームに連結され、前記アームを介して前記羽根に駆動力を与える可動部材（１３１、１５、１６）と、
前記可動部材に連結され、回転軸を中心に回動する、磁力を有する回転子（１３、１４）と、
前記回転子の周面に対向するよう配置された、磁性体で形成されたヨーク（１１、１２）と、
前記ヨークに巻回された第１コイル（１１１ａ、１２１ａ）及び第２コイル（１１１ｂ、１２１ｂ）と、を備え、
前記第１コイル及び前記第２コイルは、それぞれ独立して通電可能である、
フォーカルプレンシャッタである。
【０００７】
上記構成のフォーカルプレンシャッタによれば、第１コイルと第２コイルとに対して独立して通電可能であるため、一方に通電した場合には比較的弱い磁力が得られ、双方に通電した場合には比較的強い磁力が得られる構成とすることができる。また、コイルへの通電方向を変えることで、回転子に与えられる駆動力を調整することができる。これによって、例えば、羽根のレリーズ前の待機状態においては比較的弱い駆動力を与えるコイルに通電しておき、羽根走行時の応答性を高める制御を行うことなどが可能となる。これ以外にも、各コイルへの通電状態及び通電方向を変化させることで、回転子及び羽根の駆動力の調整を行うなど、高度な制御を行うことが可能となる。これにより、例えば、羽根走行時の応答性を高めたり、羽根の走行速度を高速化させたりすることができる。さらに、羽根走行時の振動及び衝撃を抑制したり、消費電力を低減させたりすることができる。
【０００８】
上記フォーカルプレンシャッタにおいて、好ましくは、
前記第１コイルへの通電により前記ヨークに発生する磁力と、前記第２コイルへの通電により前記ヨークに発生する磁力とが異なる。
【０００９】
上記構成のフォーカルプレンシャッタによれば、一方のコイルを待機状態に必要な最低限の磁力が得られる強さにし、他方のコイルを十分な駆動力を発生する磁力が得られる強さにすることなどが可能となる。
【００１０】
上記フォーカルプレンシャッタにおいて、好ましくは、
前記第１コイルと前記第２コイルとでは、巻線のターン数が異なる。
【００１１】
上記構成のフォーカルプレンシャッタによれば、第１コイルと第２コイルとの通電によりそれぞれ得られる磁力を容易に変化させることができる構成とすることができる。
【００１２】
上記フォーカルプレンシャッタにおいて、好ましくは、
前記回転子は、第１回転子（１３）及び第２回転子（１４）を含み、
前記ヨークは、前記第１回転子の周面と前記第２回転子の周面とに対向するよう配置された第１ヨーク（１１）及び第２ヨーク（１２）を含み、
前記第１コイル（１１１ａ）及び前記第２コイル（１１１ｂ）は前記第１ヨークに巻回され、
前記第２ヨークに巻回された第３コイル（１２１ａ）及び第４コイル（１２１ｂ）をさらに備え、
前記第３コイル（１２１ａ）及び前記第４コイル（１２１ｂ）は、それぞれ独立して通電可能である。
【００１３】
上記フォーカルプレンシャッタにおいて、好ましくは、
前記第１コイル（１１１ａ）への通電により前記第１ヨークに発生する磁力と、前記第２コイル（１１１ｂ）への通電により前記第１ヨークに発生する磁力とが異なり、
前記第３コイルへ（１２１ａ）の通電により前記第２ヨークに発生する磁力と、前記第４コイル（１２１ｂ）への通電により前記第２ヨークに発生する磁力とが異なる。
【００１４】
上記フォーカルプレンシャッタにおいて、好ましくは、
前記第１コイルと前記第２コイルとでは、巻線のターン数が異なり、
前記第３コイルと前記第４コイルとでは、巻線のターン数が異なる。
【００１５】
上記フォーカルプレンシャッタにおいて、好ましくは、
前記第１コイルへの通電により前記第１ヨークに発生する磁力と、前記第３コイルへの通電により前記第２ヨークに発生する磁力とが略同じである。
【００１６】
上記構成のフォーカルプレンシャッタによれば、例えば、レリーズ前の走行待機状態において、第１コイル及び第３コイルに通電することで羽根の保持力を弱め、羽根駆動時の応答性を高めることなどが可能となる。
【００１７】
また、本発明の別の手段は、
上記いずれかのフォーカルプレンシャッタを備える撮像装置である。
【００１８】
上記構成の撮像装置によれば、コイルを２つのみ備える従来構成と比較して、より高度で細やかに羽根を駆動することが可能なフォーカルプレンシャッタを有する構成とすることができる。これにより、例えば、羽根の走行を高速化しつつ、羽根動作時の振動及び衝撃を抑えた構成とすることなどが可能となる。さらに、フォーカルプレンシャッタにおける消費電力を低減させることが可能となる。
【図面の簡単な説明】
【００１９】
【図１】図１は、羽根走行完了状態のフォーカルプレンシャッタの平面図である。
【図２】図２は、羽根走行待機状態のフォーカルプレンシャッタの平面図である。
【図３】図３は、変形例における、先羽根及び後羽根を有するフォーカルプレンシャッタの平面図である。
【発明を実施するための形態】
【００２０】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．補足事項
【００２１】
＜１．実施形態＞
本実施形態のフォーカルプレンシャッタは、コイルへの通電により駆動するカメラなどの撮像装置に用いられるシャッタであって、コイルのヨーク（鉄芯）に巻回されるコイルが複数に分けられており、それぞれのコイルに対して独立して通電可能な構成としている点を特徴のひとつとしている。以下、本実施形態のフォーカルプレンシャッタについて、図を参照しながら具体的に説明する。
【００２２】
図１及び図２は、本実施形態のフォーカルプレンシャッタの平面図である。図１は羽根走行完了後の状態、図２は羽根走行待機時の状態を示している。
【００２３】
本実施形態のフォーカルプレンシャッタは、図示されるように、地板１、補助地板２、羽根３、アーム４ａ及び４ｂ、並びに駆動機構部５を含んで構成される。なお、本実施形態のフォーカルプレンシャッタは、１組の羽根を有する構成であるが、後述するように先羽根及び後羽根の２組の羽根を有する構成としてもよい。
【００２４】
本実施形態のフォーカルプレンシャッタでは、図１の羽根走行完了状態と、図２の羽根走行待機状態との間で変化する。例えば、レリーズにより羽根を走行させる際には、図２の羽根走行待機状態から図１の羽根走行完了状態へと変化する。
【００２５】
＜地板１、補助地板２＞
地板１は、矩形状または略矩形状の開口部１ａを有しており、駆動機構部５などを搭載するよう構成される。地板１と対向する位置には、地板１の開口部１ａに類似した矩形状または略矩形状の開口部２ａを有する、補助地板２が配置される。地板１と補助地板２との間には一定の空間（隙間）が形成されており、この空間が羽根室となる。この羽根室には、羽根３、及びアーム４ａ及び４ｂなどが配置される。
【００２６】
＜羽根３＞
羽根３は、複数枚（例えば４枚）の細長状の羽根部材を含んで構成され、羽根群と呼ばれることがある。羽根３を構成するそれぞれの羽根部材の一端部には、軸を介してアーム４ａ及び４ｂが連結される。アーム４ａ及び４ｂは、一端が羽根３に連結され、他端が駆動機構部５の出力側回転子１６に連結される。出力側回転子１６が回転すると、その回転に伴い、アーム４ａ及び４ｂを介して羽根３が動作（走行）する。
【００２７】
本実施形態のフォーカルプレンシャッタでは、地板１の開口部１ａと補助地板２の開口部２ａとの重なりにより露光開口が画定されている。羽根３は、この露光開口を覆い（図１の状態）、または開放（図２の状態）するよう、駆動機構部５により駆動される。撮像装置において、撮像のためのレリーズが行われると羽根３が移動（走行）する。羽根３の移動（走行）により開閉される露光開口の先（被写体とは逆側）には、撮像素子が搭載された基板が配置されており、露光開口から入射される光を受光して、電気信号に変換する。撮像素子は、例えば、ＣＣＤまたはＣ−ＭＯＳなどの光電変換素子であり、受光した光を電気信号に変換し、情報処理回路を介して記憶装置に転送される。
【００２８】
＜アーム４ａ及び４ｂ＞
アーム４ａ及び４ｂは、羽根３と、駆動機構部５の出力側回転子１６とを連結するよう配置され、出力側回転子１６の動作による駆動力を羽根３に伝達するよう機能する。
【００２９】
＜駆動機構部５＞
駆動機構部５は、第１ヨーク１１、第２ヨーク１２、第１コイル１１１ａ、第２コイル１１１ｂ、第３コイル１２１ａ、第４コイル１２１ｂ、第１回転子１３、第２回転子１４、及び出力側回転子１６を含んで構成される。
【００３０】
＜第１ヨーク１１、第２ヨーク１２＞
第１ヨーク１１及び第２ヨーク１２は、それぞれ羽根の走行方向に沿って延びた棒状の形状をしており、それぞれ第１回転子１３及び第２回転子１４と対向する位置が、第１回転子１３及び第２回転子１４の周面に沿って円弧状に湾曲している。第１ヨーク１１と第２ヨーク１２とは互いに対称的な形状であって、同様の大きさである。第１ヨーク１１及び第２ヨーク１２は、それぞれ鉄などの磁性材料により形成される。
【００３１】
＜第１コイル１１１ａ、第２コイル１１１ｂ、第３コイル１２１ａ、第４コイル１２１ｂ＞
第１コイル１１１ａ、及び第２コイル１１１ｂは第１ヨーク１１に巻回され、第３コイル１２１ａ、及び第４コイル１２１ｂは第２ヨーク１２に巻回される。第１コイル１１１ａと第３コイル１２１ａとのターン数は同じであり、第２コイル１１１ｂと第４コイル１２１ｂとのターン数は同じであり、第１コイル１１１ａ及び第３コイル１２１ａのターン数は、第２コイル１１１ｂ及び第４コイル１２１ｂのターン数よりも少なくなっている。したがって、第１コイル１１１ａ及び第３コイル１２１ａに通電したときに第１ヨーク１１及び第２ヨーク１２に発生する磁力は略同じであり、第２コイル１１１ｂ及び第４コイル１２１ｂに通電したときに第１ヨーク１１及び第２ヨーク１２に発生する磁力は略同じである。第１コイル１１１ａに通電した際に第１ヨーク１１に発生する磁力は、第２コイル１１１ｂに通電した際に第１ヨーク１１に発生する磁力よりも弱い。第３コイル１２１ａに通電した際に第２ヨーク１２に発生する磁力は、第４コイル１２１ｂに通電した際に第２ヨーク１２に発生する磁力よりも弱い。
【００３２】
本実施形態のフォーカルプレンシャッタでは、第１コイル１１１ａと第３コイル１２１ａとは同時に通電され、第２コイル１１１ｂと第４コイル１２１ｂとは同時に通電される。第１コイル１１１ａ、第２コイル１１１ｂ、第３コイル１２１ａ、及び第４コイル１２１ｂは、同時に通電可能である。なお、これらの４つのコイルに対してそれぞれ独立に通電可能な構成としてもよい。
【００３３】
＜第１回転子１３、第２回転子１４＞
第１回転子１３、及び第２回転子１４は、それぞれ円筒状の永久磁石である。第１回転子１３及び第２回転子１４は、地板１に設置された軸を中心として回転可能に支持される。図１及び図２に示されるように、第１回転子１３、及び第２回転子１４は、中心から一方側と他方側とに磁極が異なるよう構成される。第１回転子１３の周面は、第１ヨーク１１及び第２ヨーク１２により覆われている。同様に、第２回転子１４の周面は、第１ヨーク１１及び第２ヨーク１２により覆われている。第１回転子１３及び第２回転子１４の周面と、第１ヨーク１１及び第２ヨーク１２との間には、所定の隙間が形成されている。
【００３４】
第１回転子１３、及び第２回転子１４の周方向外側であって、第１ヨーク１１及び第２ヨーク１２と対向する位置とは異なる層には、それぞれギア１３１及び１４１が配置される。ギア１３１は第１回転子１３の回転に伴い回転し、ギア１４１は第２回転子１４の回転に伴い回転する。ギア１３１及び１４１は、出力側回転子１６のギア１５に噛み合っている。第１回転子１３及び第２回転子１４が回転すると、ギア１３１、１４１、１５を介して、出力側回転子１６に駆動力が伝達される。
【００３５】
＜出力側回転子１６＞
出力側回転子１６は、円筒状の部材であって、地板１上に回転可能に支持されている。出力側回転子１６は磁石ではなく、金属などの材料で形成される。出力側回転子１６の周方向外側には、ギア１５が配置される。上述の通り、ギア１５はギア１３１及び１４１と噛み合っている。出力側回転子１６は、アーム４ａ及び４ｂに連結されており、出力側回転子１６が回転すると、アーム４ａ及び４ｂが動作する。なお、出力側回転子１６は、本発明の「可動部材」の一構成例である。
【００３６】
＜フォーカルプレンシャッタの動作＞
次に、フォーカルプレンシャッタにおける羽根の走行動作について説明する。ここでは、図２の羽根走行待機状態から図１の羽根走行完了状態へと変化する動作を説明する。
【００３７】
図２の羽根走行待機状態では、外部からの衝撃などによって第１回転子１３及び第２回転子１４が走行しないよう、第１ヨーク１１及び第２ヨーク１２と第１回転子１３及び第２回転子１４との間で発生する吸着力及び反発力により、第１回転子１３及び第２回転子１４の位置が保持されている。この状態において、第１ヨーク１１及び第２ヨーク１２に一定以上の磁力が発生すると、第１回転子１３及び第２回転子１４が動作する。そこで、第１コイル１１１ａ及び第３コイル１２１ａに対する通電を行い、第１回転子１３及び第２回転子１４が動作しない程度の駆動力を発生させる。これにより、第１回転子１３及び第２回転子１４の動作開始時の応答性を高めている。
【００３８】
レリーズが行われると、第１コイル１１１ａ、第２コイル１１１ｂ、第３コイル１２１ａ、及び第４コイル１２１ｂに対する通電が行われる。第１コイル１１１ａ、第２コイル１１１ｂ、第３コイル１２１ａ、及び第４コイル１２１ｂに対する通電が行われると、第１ヨーク１１及び第２ヨーク１２に発生した磁力によって、第１回転子１３及び第２回転子１４が回転する。
【００３９】
第１回転子１３及び第２回転子１４が回転すると、ギア１３１及び１４１も同様に回転し、ギア１３１及び１４１に噛み合ったギア１５が回転する。ギア１５が回転すると、出力側回転子１６が回転する。出力側回転子１６が回転すると、その回転力はアーム４ａ及び４ｂを介して羽根３に伝達され、羽根３が動作（走行）する。羽根３が動作（走行）すると、フォーカルプレンシャッタは図１に示された羽根走行完了状態となる。
【００４０】
図１の羽根走行完了状態から、図２の羽根走行待機状態への動作は、上記とは逆の動作により行われる。
【００４１】
ここで、好ましくは、羽根３の動作終端位置の近傍で、第１コイル１１１ａ、第２コイル１１１ｂ、第３コイル１２１ａ、及び第４コイル１２１ｂの全てに通電された状態から、第１コイル１１１ａ、及び第３コイル１２１ａのみに通電された状態へと変化させるよう通電状態を制御する。このような通電状態の制御を行うと、羽根３の動作終端位置での駆動力が低下するため、羽根３の走行により発生する音を低減させたり、羽根３などの構成に与えられる衝撃を緩和させたりすることができる。
【００４２】
なお、上記で説明した各コイルへの通電制御方法以外の方法により、各コイルへの通電を行っても良い。例えば、羽根走行待機状態においては、第１コイル１１１ａ及び第３コイル１２１ａを、第１回転子１３及び第２回転子１４の回転方向に力が加わるよう通電し、第２コイル１１１ｂ及び第４コイル１２１ｂを、第１回転子１３及び第２回転子１４を保持する方向に力が加わるよう通電する。つまり、この状態では第１コイル１１１ａ及び第３コイル１２１ａは、第２コイル１１１ｂ及び第４コイル１２１ｂとは逆方向の駆動力を発生させている。そして、羽根走行時には、第２コイル１１１ｂ及び第４コイル１２１ｂへの通電方向を反転させて、第１回転子１３及び第２回転子１４に対して回転方向に力を加え、これによって第１回転子１３及び第２回転子１４を動作させる。このような通電制御を行うと、羽根の走行速度を高めることが可能となる。
【００４３】
また、例えば、羽根３を走行させる速度に応じて、通電するコイルを変更する方法を採ることも可能である。例えば、通常の速度で羽根３を走行させる場合には、第２コイル１１１ｂ及び第４コイル１２１ｂに対して通電し、高速で羽根３を走行させる場合には、全てのコイルに対して通電する方法などを採用可能である。これによれば、羽根３を通常の速度で走行させる際には消費電力を抑制しつつ、必要な場合に羽根３を高速で走行させることが可能な構成となる。
【００４４】
本実施形態のフォーカルプレンシャッタでは、上記のように、第１ヨーク１１及び第２ヨーク１２のそれぞれに対して、独立して通電可能な２つのコイルを巻回した構成としている。この構成により、コイルの一方に通電した場合には比較的弱い磁力が得られ、双方に通電した場合には比較的強い磁力が得られるヨークを備える構成とすることができる。また、コイルへの通電方向を変えることで、回転子に与えられる駆動力を調整することができる。これによって、例えば、羽根３のレリーズ前の待機状態においては、羽根３が走行しない程度の比較的弱い駆動力を与えるコイルに通電しておき、羽根走行時の応答性を高める制御を行うことなどが可能となる。これ以外にも、各コイルへの通電状態及び通電方向を変化させることで、回転子及び羽根の駆動力の調整を行うなど、高度な制御を行うことが可能となる。これにより、例えば、羽根走行時の応答性を高めたり、羽根の走行速度を高速化させたりすることができる。さらに、羽根走行時の振動及び衝撃を抑制したり、消費電力を低減させたりすることができる。
【００４５】
なお、本実施形態の構成では、第１ヨーク１１及び第２ヨーク１２の２つのヨークを有する構成例を説明しているが、ヨークは１以上の任意の数に変更可能である。
【００４６】
また、本実施形態のフォーカルプレンシャッタでは、第１コイル１１１ａ及び第３コイル１２１ａのターン数よりも、第２コイル１１１ｂ及び第４コイル１２１ｂのターン数の方が多いため、第１コイル１１１ａ及び第３コイル１２１ａに通電した際に得られる磁力が、第２コイル１１１ｂ及び第４コイル１２１ｂに通電した際に得られる磁力よりも弱くなっている。そのため、例えば第１コイル１１１ａ及び第３コイル１２１ａを、羽根走行待機状態の羽根３の位置保持に必要な磁力が得られる最低限の強さが得られるターン数とし、第２コイル１１１ｂ及び第４コイル１２１ｂを、十分な強さの羽根３の駆動力が得られるターン数とすることなどが可能となる。
【００４７】
なお、第１コイル１１１ａ、第２コイル１１１ｂ、第３コイル１２１ａ、及び第４コイル１２１ｂのターン数の設計は任意に変更可能であり、本実施形態の態様に限定されるものではない。また、ターン数を変化させる代わりに、ヨークからの距離を変化させることで、通電により得られる磁力を変化させる構成を採用してもよい。また、第１ヨーク１１及び第２ヨーク１２に巻回されるコイルの数は２つに限定されるものではなく、３以上のコイルが巻回される構成であってもよい。また、各コイルはそれぞれ独立したボビンに巻回される必要はなく、共通のボビンに巻回される構成を採用してもよい。
【００４８】
＜２．変形例＞
上記の実施形態では、１組の羽根３のみを有する構成を例に挙げて説明したが、先羽根及び後羽根を有する構成を採用してもよい。この場合、先羽根及び後羽根について、それぞれ駆動機構部５を備える構成となる。
【００４９】
図３は、先羽根及び後羽根を有し、先羽根及び後羽根のそれぞれを駆動する２つの駆動機構部５を有するフォーカルプレンシャッタを示した平面図である。図３に示されるように、本変形例のフォーカルプレンシャッタでは、地板１上に２つの駆動機構部５が配置されている。これらの駆動機構部５は、いずれも実施形態と同様の構成としている。
【００５０】
＜３．補足事項＞
以上、本発明の実施形態及び変形例についての具体的な説明を行った。上記説明は、あくまで一実施形態としての説明であって、本発明の範囲はこの一実施形態に留まらず、当業者が把握可能な範囲にまで広く解釈されるものである。
【００５１】
例えば、本実施形態のフォーカルプレンシャッタの開口部は、矩形状または略矩形状に形成されていたが、必ずしも矩形状または略矩形状に限定されるものではなく、方形状または略方形状に形成されてもよい。また、方形状以外に形成されていてもよい。
【産業上の利用可能性】
【００５２】
本発明のフォーカルプレンシャッタは、カメラなどの撮像装置用のシャッタとして好適に適用される。
【符号の説明】
【００５３】
１…地板
１ａ…開口部
２…補助地板
２ａ…開口部
３…羽根
４ａ、４ｂ…アーム
５…駆動機構部
１１…第１ヨーク
１２…第２ヨーク
１３…第１回転子
１３１…ギア
１４…第２回転子
１４１…ギア
１５…ギア
１６…出力側回転子
【図１】
2019045539.tif 000003
【図２】
2019045539.tif 000004
【図３】
2019045539.tif 000005